(57)【特許請求の範囲】
【請求項１】
外部から導入された冷却媒体により、吸気入口から取り込まれた吸気を冷却する吸気冷却コイルと、
前記吸気冷却コイルの下流側に配置されて、前記吸気冷却コイルを通過した吸気から霧状または液状になった凝縮水を除去するミストセパレータと、
前記ミストセパレータの下流側に配置されて、前記ミストセパレータを通過した吸気から粉塵を除去するフィルタと、
前記フィルタの上流側近傍の圧力と、前記フィルタの下流側近傍の圧力との差を測定する差圧計と、
前記差圧計で計測された計測値が、所定の閾値よりも高いと判断した場合に、前記吸気冷却コイルへの前記冷却媒体の供給を停止させ前記フィルタに付着した前記凝縮水を蒸発させる制御器とを備えていることを特徴とする吸気冷却装置。
【請求項２】
前記制御器は、前記差圧計で計測された計測値が、所定の閾値よりも低いと判断した場合に、前記吸気冷却コイルへの前記冷却媒体の供給を開始させることを特徴とする請求項１に記載の吸気冷却装置。
【請求項３】
外部から導入された冷却媒体により、吸気入口から取り込まれた吸気を冷却する吸気冷却コイルと、
前記吸気冷却コイルの下流側に配置されて、前記吸気冷却コイルを通過した吸気から霧状または液状になった凝縮水を除去するミストセパレータと、
前記ミストセパレータの下流側に配置されて、前記ミストセパレータを通過した吸気から粉塵を除去するフィルタと、
前記フィルタの上流側近傍の圧力と、前記フィルタの下流側近傍の圧力との差を測定する差圧計と、
前記差圧計で計測された計測値が、所定の閾値よりも高いと判断した場合に、前記吸気冷却コイルへの前記冷却媒体の流量を減少させ前記フィルタに付着した前記凝縮水を蒸発させる制御器とを備えていることを特徴とする吸気冷却装置。
【請求項４】
前記制御器は、前記差圧計で計測された計測値が、所定の閾値よりも低いと判断した場合に、前記吸気冷却コイルへの前記冷却媒体の流量を増加させることを特徴とする請求項３に記載の吸気冷却装置。
【請求項５】
前記吸気冷却コイルが、幅方向に二以上または高さ方向に二以上に分割されており、
前記差圧計は、前記フィルタを前記吸気冷却コイルと同じように分割した場合に、分割されたフィルタ毎の上流側近傍の圧力と、下流側近傍の圧力との差をそれぞれ測定し、
前記制御器は、対応する前記吸気冷却コイルへの前記冷却媒体の供給を停止させることを特徴とする請求項１または請求項２に記載の吸気冷却装置。
【請求項６】
前記吸気冷却コイルが、幅方向に二以上または高さ方向に二以上に分割されており、
前記差圧計は、前記フィルタを前記吸気冷却コイルと同じように分割した場合に、分割されたフィルタ毎の上流側近傍の圧力と、下流側近傍の圧力との差をそれぞれ測定し、
前記制御器は、対応する前記吸気冷却コイルへの前記冷却媒体の流量を減少させることを特徴とする請求項３または請求項４に記載の吸気冷却装置。
【請求項７】
前記吸気冷却コイルおよび前記ミストセパレータが、前記フィルタを収容する吸気ダクトに対して着脱可能に構成されていることを特徴とする請求項１から６のいずれか一項に記載の吸気冷却装置。
【請求項８】
請求項１から７のいずれかに記載の吸気冷却装置を具備していることを特徴とする発電プラント。
【請求項９】
外部から導入された冷却媒体により、吸気入口から取り込まれた吸気を冷却する吸気冷却コイルと、
前記吸気冷却コイルの下流側に配置されて、前記吸気冷却コイルを通過した吸気から霧状または液状になった凝縮水を除去するミストセパレータと、
前記ミストセパレータの下流側に配置されて、前記ミストセパレータを通過した吸気から粉塵を除去するフィルタと、
前記フィルタの上流側近傍の圧力と、前記フィルタの下流側近傍の圧力との差を測定する差圧計とを備えた吸気冷却装置の運転方法であって、
前記差圧計で計測された計測値が、所定の閾値よりも高いと判断した場合に、前記吸気冷却コイルへの前記冷却媒体の供給を停止させ前記フィルタに付着した前記凝縮水を蒸発させるようにしたことを特徴とする吸気冷却装置の運転方法。
【請求項１０】
前記差圧計で計測された計測値が、所定の閾値よりも低いと判断した場合に、前記吸気冷却コイルへの前記冷却媒体の供給を開始させるようにしたことを特徴とする請求項９に記載の吸気冷却装置の運転方法。
【請求項１１】
外部から導入された冷却媒体により、吸気入口から取り込まれた吸気を冷却する吸気冷却コイルと、
前記吸気冷却コイルの下流側に配置されて、前記吸気冷却コイルを通過した吸気から霧状または液状になった凝縮水を除去するミストセパレータと、
前記ミストセパレータの下流側に配置されて、前記ミストセパレータを通過した吸気から粉塵を除去するフィルタと、
前記フィルタの上流側近傍の圧力と、前記フィルタの下流側近傍の圧力との差を測定する差圧計とを備えた吸気冷却装置の運転方法であって、
前記差圧計で計測された計測値が、所定の閾値よりも高いと判断した場合に、前記吸気冷却コイルへの前記冷却媒体の流量を減少させ前記フィルタに付着した前記凝縮水を蒸発させるようにしたことを特徴とする吸気冷却装置の運転方法。
【請求項１２】
前記差圧計で計測された計測値が、所定の閾値よりも低いと判断した場合に、前記吸気冷却コイルへの前記冷却媒体の流量を増加させるようにしたことを特徴とする請求項１１に記載の吸気冷却装置の運転方法。
【請求項１３】
外部から導入された冷却媒体により、吸気入口から取り込まれた吸気を冷却するとともに、幅方向に二以上または高さ方向に二以上に分割された吸気冷却コイルと、
前記吸気冷却コイルの下流側に配置されて、前記吸気冷却コイルを通過した吸気から霧状または液状になった凝縮水を除去するミストセパレータと、
前記ミストセパレータの下流側に配置されて、前記ミストセパレータを通過した吸気から粉塵を除去するフィルタと、
前記フィルタを前記吸気冷却コイルと同じように分割した場合に、分割されたフィルタ毎の上流側近傍の圧力と、下流側近傍の圧力との差をそれぞれ測定する差圧計とを備えた吸気冷却装置の運転方法であって、
前記差圧計で計測された計測値が、所定の閾値よりも高いと判断した場合に、対応する前記吸気冷却コイルへの前記冷却媒体の供給を停止させ対応する分割された前記フィルタに付着した前記凝縮水を蒸発させるようにしたことを特徴とする吸気冷却装置の運転方法。
【請求項１４】
前記差圧計で計測された計測値が、所定の閾値よりも低いと判断した場合に、対応する前記吸気冷却コイルへの前記冷却媒体の供給を開始させるようにしたことを特徴とする請求項１３に記載の吸気冷却装置の運転方法。
【請求項１５】
外部から導入された冷却媒体により、吸気入口から取り込まれた吸気を冷却するとともに、幅方向に二以上または高さ方向に二以上に分割された吸気冷却コイルと、
前記吸気冷却コイルの下流側に配置されて、前記吸気冷却コイルを通過した吸気から霧状または液状になった凝縮水を除去するミストセパレータと、
前記ミストセパレータの下流側に配置されて、前記ミストセパレータを通過した吸気から粉塵を除去するフィルタと、
前記フィルタを前記吸気冷却コイルと同じように分割した場合に、分割されたフィルタ毎の上流側近傍の圧力と、下流側近傍の圧力との差をそれぞれ測定する差圧計とを備えた吸気冷却装置の運転方法であって、
前記差圧計で計測された計測値が、所定の閾値よりも高いと判断した場合に、対応する前記吸気冷却コイルへの前記冷却媒体の流量を減少させ対応する分割された前記フィルタに付着した前記凝縮水を蒸発させるようにしたことを特徴とする吸気冷却装置の運転方法。
【請求項１６】
前記差圧計で計測された計測値が、所定の閾値よりも低いと判断した場合に、対応する前記吸気冷却コイルへの前記冷却媒体の流量を増加させるようにしたことを特徴とする請求項１５に記載の吸気冷却装置の運転方法。
【請求項１７】
外部から導入された冷却媒体により、吸気入口から取り込まれた吸気を冷却する吸気冷却コイルと、
前記吸気冷却コイルの下流側に配置されて、前記吸気冷却コイルを通過した吸気から霧状または液状になった凝縮水を除去するミストセパレータと、
前記ミストセパレータの下流側に配置されて、前記ミストセパレータを通過した吸気から粉塵を除去するフィルタと、
を備えた吸気冷却装置の運転方法であって、
前記吸気を冷却する必要がない場合に、前記吸気冷却コイルおよび前記ミストセパレータを、前記フィルタを収容する吸気ダクトから取り外して運転するようにしたことを特徴とする発電プラントの運転方法。
【発明の詳細な説明】
【技術分野】
【０００１】
本発明は、ガスタービンプラントや複合サイクルプラント等の発電プラントに適用されて好適な吸気冷却装置およびその運転方法に関するものである。
【背景技術】
【０００２】
ガスタービンプラントや複合サイクルプラント等の発電プラントでは、ガスタービンとともに回転する圧縮機によって、外部より空気を吸気して圧縮し、圧縮空気をガスタービンに供給して、燃焼器において燃料を燃焼させることでガスタービンを回転させて動力を得ている。また、このガスタービンの動力は、タービン入口の圧力と温度に応じて決まる。そのため、夏期等、外気温度が高いときには、外気の空気密度が低下するため、圧縮機により圧縮される空気の容積は常に等しいことより、吸気した空気の質量が減少する。その結果、外気温度が高いときには、ガスタービンに供給される空気の質量が減少し、結果的に、ガスタービンの動力を低下させることになる。
【０００３】
そこで、従来から、外気から吸気する空気温度を下げるための様々な吸気冷却装置が提供されており、吸気冷却コイルを備えたもの（例えば、特許文献１参照）や、水を噴霧することによって、噴霧された水の気化熱を利用して吸気冷却を行うもの（例えば、特許文献２参照）が知られている。
【先行技術文献】
【特許文献】
【０００４】
【特許文献１】特開２０００−１１０５８６号公報
【特許文献２】特開平７−２２４６８１号公報
【発明の概要】
【発明が解決しようとする課題】
【０００５】
しかしながら、特許文献１に開示されたものでは、吸気冷却コイルの表面に付着した凝縮液が、吸気冷却コイルを通過した吸気とともに下流側に飛散し、特許文献２に開示されたものでは、噴霧された水が気化せずに下流側に飛散して、凝縮水や噴霧された水に含まれる不純物によりガスタービンや圧縮機等に腐食や金属堆積が発生する可能性がある。
【０００６】
本発明は、上記の事情に鑑みてなされたもので、吸気冷却コイルを通過した吸気とともに凝縮水が下流側に飛散するのを防止することができる吸気冷却装置およびその運転方法を提供することを目的とする。
【課題を解決するための手段】
【０００７】
本発明は、上記課題を解決するため、以下の手段を採用した。
本発明に係る吸気冷却装置は、外部から導入された冷却媒体により、吸気入口から取り込まれた吸気を冷却する吸気冷却コイルと、前記吸気冷却コイルの下流側に配置されて、前記吸気冷却コイルを通過した吸気から霧状または液状になった凝縮水を除去するミストセパレータと、前記ミストセパレータの下流側に配置されて、前記ミストセパレータを通過した吸気から粉塵を除去するフィルタと、前記フィルタの上流側近傍の圧力と、前記フィルタの下流側近傍の圧力との差を測定する差圧計と、前記差圧計で計測された計測値が、所定の閾値よりも高いと判断した場合に、前記吸気冷却コイルへの前記冷却媒体の供給を停止させ前記フィルタに付着した前記凝縮水を蒸発させる制御器とを備えている。
【０００８】
本発明に係る吸気冷却装置によれば、ミストセパレータにより、吸気冷却コイルを通過した吸気から霧状または液状になった凝縮水が除去されることになる。また、吸気から霧状または液状になった凝縮水をミストセパレータで完全に除去することができなかった場合でも、フィルタに付着した粉塵に、ミストセパレータを通過した凝縮水が付着して、ミストセパレータを通過した吸気から霧状または液状になった凝縮水が除去されることになる。
これにより、吸気冷却コイルを通過した吸気とともに凝縮水が下流側に飛散するのを防止することができ、凝縮水に含まれる不純物によりガスタービンや圧縮機等に腐食や金属堆積が発生するのを防止することができる。
また、差圧計で計測された計測値は、制御器に出力され、制御器において、例えば、制御器に予め保存（記憶）された閾値と比較されるようになっている。そして、差圧計で計測された計測値が閾値よりも高くなり、フィルタに規定量を超える凝縮水が付着しているおそれがあると判断した場合には、吸気冷却コイルへの冷却媒体の供給が停止されるようになっている。吸気冷却コイルへの冷却媒体の供給が停止されることにより、吸気入口から取り込まれた吸気、すなわち、吸気冷却コイルにおいて冷却されずにそのままの温度で流れ込んできた（温かい）吸気が、フィルタに付着した凝縮水を蒸発させることになる。
これにより、フィルタにおける差圧（圧損）の上昇を抑制することができ、かつ、フィルタにおける差圧（圧損）を素早く回復させることができる。
また、フィルタから下流側への凝縮水の飛散を防止することができ、凝縮水に含まれる不純物によりガスタービンや圧縮機等に腐食や金属堆積が発生するのを防止することができる。
【００１１】
上記吸気冷却装置において、前記制御器は、前記差圧計で計測された計測値が、所定の閾値よりも低いと判断した場合に、前記吸気冷却コイルへの前記冷却媒体の供給を開始させる機能を備えているとさらに好適である。
【００１２】
このような吸気冷却装置によれば、差圧計で計測された計測値は、制御器に出力され、制御器において、例えば、制御器に予め保存（記憶）された閾値と比較されるようになっている。そして、差圧計で計測された計測値が閾値よりも低くなり、フィルタに凝縮水が付着しているおそれがないと判断した場合には、吸気冷却コイルへの冷却媒体の供給が開始（再開）されるようになっている。
これにより、吸気冷却を再開することができる。
【００１３】
本発明に係る吸気冷却装置は、外部から導入された冷却媒体により、吸気入口から取り込まれた吸気を冷却する吸気冷却コイルと、前記吸気冷却コイルの下流側に配置されて、前記吸気冷却コイルを通過した吸気から霧状または液状になった凝縮水を除去するミストセパレータと、前記ミストセパレータの下流側に配置されて、前記ミストセパレータを通過した吸気から粉塵を除去するフィルタと、前記フィルタの上流側近傍の圧力と、前記フィルタの下流側近傍の圧力との差を測定する差圧計と、前記差圧計で計測された計測値が、所定の閾値よりも高いと判断した場合に、前記吸気冷却コイルへの前記冷却媒体の流量を減少させ前記フィルタに付着した前記凝縮水を蒸発させる制御器とを備えている。
【００１４】
このような吸気冷却装置によれば、差圧計で計測された計測値は、制御器に出力され、制御器において、例えば、制御器に予め保存（記憶）された閾値と比較されるようになっている。そして、差圧計で計測された計測値が閾値よりも高くなり、フィルタに規定量を超える凝縮水が付着しているおそれがあると判断した場合には、吸気冷却コイルへの冷却媒体の流量を減少させるようになっている。吸気冷却コイルへの冷却媒体の流量が減少させられることにより、吸気入口から取り込まれた吸気、すなわち、吸気冷却コイルにおいて冷却されずにそのままの温度で流れ込んできた（温かい）吸気に近い温度の吸気が、フィルタに付着した凝縮水を蒸発させることになる。
これにより、フィルタにおける差圧（圧損）の上昇を抑制することができ、かつ、フィルタにおける差圧（圧損）を回復させることができる。
また、フィルタから下流側への凝縮水の飛散を防止することができ、凝縮水に含まれる不純物によりガスタービンや圧縮機等に腐食や金属堆積が発生するのを防止することができる。
【００１５】
上記吸気冷却装置において、前記制御器は、前記差圧計で計測された計測値が、所定の閾値よりも低いと判断した場合に、前記吸気冷却コイルへの前記冷却媒体の流量を増加させる機能を備えているとさらに好適である。
【００１６】
このような吸気冷却装置によれば、差圧計で計測された計測値は、制御器に出力され、制御器において、例えば、制御器に予め保存（記憶）された閾値と比較されるようになっている。そして、差圧計で計測された計測値が閾値よりも低くなり、フィルタに凝縮水が付着しているおそれがないと判断した場合には、吸気冷却コイルへの冷却媒体の流量が増加されるようになっている。
これにより、吸気冷却を再開することができる。
【００１７】
上記吸気冷却装置において、前記吸気冷却コイルが、幅方向に二以上または高さ方向に二以上に分割されており、前記差圧計は、前記フィルタを前記吸気冷却コイルと同じように分割した場合に、分割されたフィルタ毎の上流側近傍の圧力と、下流側近傍の圧力との差をそれぞれ測定し、前記制御器は、対応する前記吸気冷却コイルへの前記冷却媒体の供給を停止させるとさらに好適である。
【００１８】
このような吸気冷却装置によれば、差圧計で計測された計測値は、制御器に出力され、制御器において、例えば、制御器に予め保存（記憶）された閾値と比較されるようになっている。そして、差圧計で計測された計測値が閾値よりも高くなり、フィルタに規定量を超える凝縮水が付着しているおそれがあると判断した場合には、対応する吸気冷却コイルへの冷却媒体の供給が停止されるようになっている。対応する吸気冷却コイルへの冷却媒体の供給が停止されることにより、吸気入口から取り込まれた吸気、すなわち、吸気冷却コイルにおいて冷却されずにそのままの温度で流れ込んできた（温かい）吸気が、フィルタに付着した凝縮水を蒸発させることになる。
これにより、フィルタにおける差圧（圧損）の上昇を抑制することができ、かつ、フィルタにおける差圧（圧損）を素早く回復させることができる。
また、フィルタから下流側への凝縮水の飛散を防止することができ、凝縮水に含まれる不純物によりガスタービンや圧縮機等に腐食や金属堆積が発生するのを防止することができる。
【００１９】
上記吸気冷却装置において、前記制御器は、前記差圧計で計測された計測値が、所定の閾値よりも低いと判断した場合に、対応する前記吸気冷却コイルへの前記冷却媒体の供給を開始させる機能を備えているとさらに好適である。
【００２０】
このような吸気冷却装置によれば、差圧計で計測された計測値は、制御器に出力され、制御器において、例えば、制御器に予め保存（記憶）された閾値と比較されるようになっている。そして、差圧計で計測された計測値が閾値よりも低くなり、フィルタに凝縮水が付着しているおそれがないと判断した場合には、対応する吸気冷却コイルへの冷却媒体の供給が開始（再開）されるようになっている。
これにより、吸気冷却を再開することができる。
【００２１】
上記吸気冷却装置において、前記吸気冷却コイルが、幅方向に二以上または高さ方向に二以上に分割されており、前記差圧計は、前記フィルタを前記吸気冷却コイルと同じように分割した場合に、分割されたフィルタ毎の上流側近傍の圧力と、下流側近傍の圧力との差をそれぞれ測定し、前記制御器は、対応する前記吸気冷却コイルへの前記冷却媒体の流量を減少させるとさらに好適である。
【００２２】
このような吸気冷却装置によれば、差圧計で計測された計測値は、制御器に出力され、制御器において、例えば、制御器に予め保存（記憶）された閾値と比較されるようになっている。そして、差圧計で計測された計測値が閾値よりも高くなり、フィルタに規定量を超える凝縮水が付着しているおそれがあると判断した場合には、対応する吸気冷却コイルへの冷却媒体の流量を減少させるようになっている。対応する吸気冷却コイルへの冷却媒体の流量が減少させられることにより、吸気入口から取り込まれた吸気、すなわち、吸気冷却コイルにおいて冷却されずにそのままの温度で流れ込んできた（温かい）吸気に近い温度の吸気が、フィルタに付着した凝縮水を蒸発させることになる。
これにより、フィルタにおける差圧（圧損）の上昇を抑制することができ、かつ、フィルタにおける差圧（圧損）を回復させることができる。
また、フィルタから下流側への凝縮水の飛散を防止することができ、凝縮水に含まれる不純物によりガスタービンや圧縮機等に腐食や金属堆積が発生するのを防止することができる。
【００２３】
上記吸気冷却装置において、前記差圧計で計測された計測値が、所定の閾値よりも低いと判断した場合に、対応する前記吸気冷却コイルへの前記冷却媒体の流量を増加させる機能を備えているとさらに好適である。
【００２４】
このような吸気冷却装置によれば、差圧計で計測された計測値は、制御器に出力され、制御器において、例えば、制御器に予め保存（記憶）された閾値と比較されるようになっている。そして、差圧計で計測された計測値が閾値よりも低くなり、フィルタに凝縮水が付着しているおそれがないと判断した場合には、対応する吸気冷却コイルへの冷却媒体の流量が増加されるようになっている。
これにより、吸気冷却を再開することができる。
【００２５】
上記吸気冷却装置において、前記吸気冷却コイルおよび前記ミストセパレータが、前記フィルタを収容する吸気ダクトに対して着脱可能に構成されているとさらに好適である。
【００２６】
このような吸気冷却装置によれば、吸気を冷却しなくてもよい時期（例えば、冬季）には、吸気冷却コイルおよびミストセパレータを容易に取り外すことができて、吸気冷却コイルおよびミストセパレータによる圧損をなくす（排除する）ことができる。
【００２７】
本発明に係る発電プラントは、上記いずれかの吸気冷却装置を具備している。
【００２８】
本発明に係る発電プラントによれば、凝縮水に含まれる不純物によりガスタービンや圧縮機等に腐食や金属堆積が発生するのを防止することができる。
【００２９】
本発明に係る吸気冷却装置の運転方法は、外部から導入された冷却媒体により、吸気入口から取り込まれた吸気を冷却する吸気冷却コイルと、前記吸気冷却コイルの下流側に配置されて、前記吸気冷却コイルを通過した吸気から霧状または液状になった凝縮水を除去するミストセパレータと、前記ミストセパレータの下流側に配置されて、前記ミストセパレータを通過した吸気から粉塵を除去するフィルタと、前記フィルタの上流側近傍の圧力と、前記フィルタの下流側近傍の圧力との差を測定する差圧計とを備えた吸気冷却装置の運転方法であって、前記差圧計で計測された計測値が、所定の閾値よりも高いと判断した場合に、前記吸気冷却コイルへの前記冷却媒体の供給を停止させ前記フィルタに付着した前記凝縮水を蒸発させるようにした。
【００３０】
本発明に係る吸気冷却装置の運転方法によれば、差圧計で計測された計測値が閾値よりも高くなり、フィルタに規定量を超える凝縮水が付着しているおそれがあると判断した場合には、吸気冷却コイルへの冷却媒体の供給を停止する。吸気冷却コイルへの冷却媒体の供給を停止することにより、吸気入口から取り込まれた吸気、すなわち、吸気冷却コイルにおいて冷却されずにそのままの温度で流れ込んできた（温かい）吸気が、フィルタに付着した凝縮水を蒸発させることになる。
これにより、フィルタにおける差圧（圧損）の上昇を抑制することができ、かつ、フィルタにおける差圧（圧損）を素早く回復させることができる。
また、フィルタから下流側への凝縮水の飛散を防止することができ、凝縮水に含まれる不純物によりガスタービンや圧縮機等に腐食や金属堆積が発生するのを防止することができる。
【００３１】
上記吸気冷却装置の運転方法において、前記差圧計で計測された計測値が、所定の閾値よりも低いと判断した場合に、前記吸気冷却コイルへの前記冷却媒体の供給を開始させるようにするとさらに好適である。
【００３２】
このような吸気冷却装置の運転方法によれば、差圧計で計測された計測値が閾値よりも低くなり、フィルタに凝縮水が付着しているおそれがないと判断した場合には、吸気冷却コイルへの冷却媒体の供給を開始（再開）する。
これにより、吸気冷却を再開することができる。
【００３３】
本発明に係る吸気冷却装置の運転方法は、外部から導入された冷却媒体により、吸気入口から取り込まれた吸気を冷却する吸気冷却コイルと、前記吸気冷却コイルの下流側に配置されて、前記吸気冷却コイルを通過した吸気から霧状または液状になった凝縮水を除去するミストセパレータと、前記ミストセパレータの下流側に配置されて、前記ミストセパレータを通過した吸気から粉塵を除去するフィルタと、前記フィルタの上流側近傍の圧力と、前記フィルタの下流側近傍の圧力との差を測定する差圧計とを備えた吸気冷却装置の運転方法であって、前記差圧計で計測された計測値が、所定の閾値よりも高いと判断した場合に、前記吸気冷却コイルへの前記冷却媒体の流量を減少させ前記フィルタに付着した前記凝縮水を蒸発させるようにした。
【００３４】
本発明に係る吸気冷却装置の運転方法によれば、差圧計で計測された計測値が閾値よりも高くなり、フィルタに規定量を超える凝縮水が付着しているおそれがあると判断した場合には、吸気冷却コイルへの冷却媒体の流量を減少させる。吸気冷却コイルへの冷却媒体の流量が減少させられることにより、吸気入口から取り込まれた吸気、すなわち、吸気冷却コイルにおいて冷却されずにそのままの温度で流れ込んできた（温かい）吸気に近い温度の吸気が、フィルタに付着した凝縮水を蒸発させることになる。
これにより、フィルタにおける差圧（圧損）の上昇を抑制することができ、かつ、フィルタにおける差圧（圧損）を回復させることができる。
また、フィルタから下流側への凝縮水の飛散を防止することができ、凝縮水に含まれる不純物によりガスタービンや圧縮機等に腐食や金属堆積が発生するのを防止することができる。
【００３５】
上記吸気冷却装置の運転方法において、前記差圧計で計測された計測値が、所定の閾値よりも低いと判断した場合に、前記吸気冷却コイルへの前記冷却媒体の流量を増加させるようにするとさらに好適である。
【００３６】
このような吸気冷却装置の運転方法によれば、差圧計で計測された計測値が閾値よりも低くなり、フィルタに凝縮水が付着しているおそれがないと判断した場合には、吸気冷却コイルへの冷却媒体の流量を増加させる。
これにより、吸気冷却を再開することができる。
【００３７】
本発明に係る吸気冷却装置の運転方法は、外部から導入された冷却媒体により、吸気入口から取り込まれた吸気を冷却するとともに、幅方向に二以上または高さ方向に二以上に分割された吸気冷却コイルと、前記吸気冷却コイルの下流側に配置されて、前記吸気冷却コイルを通過した吸気から霧状または液状になった凝縮水を除去するミストセパレータと、前記ミストセパレータの下流側に配置されて、前記ミストセパレータを通過した吸気から粉塵を除去するフィルタと、前記フィルタを前記吸気冷却コイルと同じように分割した場合に、分割されたフィルタ毎の上流側近傍の圧力と、下流側近傍の圧力との差をそれぞれ測定する差圧計とを備えた吸気冷却装置の運転方法であって、前記差圧計で計測された計測値が、所定の閾値よりも高いと判断した場合に、対応する前記吸気冷却コイルへの前記冷却媒体の供給を停止させ対応する分割された前記フィルタに付着した前記凝縮水を蒸発させるようにした。
【００３８】
本発明に係る吸気冷却装置の運転方法によれば、差圧計で計測された計測値が閾値よりも高くなり、フィルタに規定量を超える凝縮水が付着しているおそれがあると判断した場合には、対応する吸気冷却コイルへの冷却媒体の供給を停止する。対応する吸気冷却コイルへの冷却媒体の供給を停止することにより、吸気入口から取り込まれた吸気、すなわち、吸気冷却コイルにおいて冷却されずにそのままの温度で流れ込んできた（温かい）吸気が、フィルタに付着した凝縮水を蒸発させることになる。
これにより、フィルタにおける差圧（圧損）の上昇を抑制することができ、かつ、フィルタにおける差圧（圧損）を素早く回復させることができる。
また、フィルタから下流側への凝縮水の飛散を防止することができ、凝縮水に含まれる不純物によりガスタービンや圧縮機等に腐食や金属堆積が発生するのを防止することができる。
【００３９】
上記吸気冷却装置の運転方法において、前記差圧計で計測された計測値が、所定の閾値よりも低いと判断した場合に、対応する前記吸気冷却コイルへの前記冷却媒体の供給を開始させるようにするとさらに好適である。
【００４０】
このような吸気冷却装置の運転方法によれば、差圧計で計測された計測値が閾値よりも低くなり、フィルタに凝縮水が付着しているおそれがないと判断した場合には、対応する吸気冷却コイルへの冷却媒体の供給を開始（再開）する。
これにより、吸気冷却を再開することができる。
【００４１】
本発明に係る吸気冷却装置の運転方法は、外部から導入された冷却媒体により、吸気入口から取り込まれた吸気を冷却するとともに、幅方向に二以上または高さ方向に二以上に分割された吸気冷却コイルと、前記吸気冷却コイルの下流側に配置されて、前記吸気冷却コイルを通過した吸気から霧状または液状になった凝縮水を除去するミストセパレータと、前記ミストセパレータの下流側に配置されて、前記ミストセパレータを通過した吸気から粉塵を除去するフィルタと、前記フィルタを前記吸気冷却コイルと同じように分割した場合に、分割されたフィルタ毎の上流側近傍の圧力と、下流側近傍の圧力との差をそれぞれ測定する差圧計とを備えた吸気冷却装置の運転方法であって、前記差圧計で計測された計測値が、所定の閾値よりも高いと判断した場合に、対応する前記吸気冷却コイルへの前記冷却媒体の流量を減少させ対応する分割された前記フィルタに付着した前記凝縮水を蒸発させるようにした。
【００４２】
本発明に係る吸気冷却装置の運転方法によれば、差圧計で計測された計測値が閾値よりも高くなり、フィルタに規定量を超える凝縮水が付着しているおそれがあると判断した場合には、対応する吸気冷却コイルへの冷却媒体の流量を減少させる。対応する吸気冷却コイルへの冷却媒体の流量が減少させられることにより、吸気入口から取り込まれた吸気、すなわち、吸気冷却コイルにおいて冷却されずにそのままの温度で流れ込んできた（温かい）吸気に近い温度の吸気が、フィルタに付着した凝縮水を蒸発させることになる。
これにより、フィルタにおける差圧（圧損）の上昇を抑制することができ、かつ、フィルタにおける差圧（圧損）を回復させることができる。
また、フィルタから下流側への凝縮水の飛散を防止することができ、凝縮水に含まれる不純物によりガスタービンや圧縮機等に腐食や金属堆積が発生するのを防止することができる。
【００４３】
上記吸気冷却装置の運転方法において、前記差圧計で計測された計測値が、所定の閾値よりも低いと判断した場合に、対応する前記吸気冷却コイルへの前記冷却媒体の流量を増加させるようにするとさらに好適である。
【００４４】
このような吸気冷却装置の運転方法によれば、差圧計で計測された計測値が閾値よりも低くなり、フィルタに凝縮水が付着しているおそれがないと判断した場合には、対応する吸気冷却コイルへの冷却媒体の流量を増加させる。
これにより、吸気冷却を再開することができる。
【００４５】
本発明に係る発電プラントの運転方法は、外部から導入された冷却媒体により、吸気入口から取り込まれた吸気を冷却する吸気冷却コイルと、前記吸気冷却コイルの下流側に配置されて、前記吸気冷却コイルを通過した吸気から霧状または液状になった凝縮水を除去するミストセパレータと、前記ミストセパレータの下流側に配置されて、前記ミストセパレータを通過した吸気から粉塵を除去するフィルタと、を備えた吸気冷却装置の運転方法であって、前記吸気を冷却する必要がない場合に、前記吸気冷却コイルおよび前記ミストセパレータを、前記フィルタを収容する吸気ダクトから取り外して運転するようにした。
【００４６】
本発明に係る発電プラントの運転方法によれば、吸気を冷却しなくてもよい時期（例えば、冬季）には、吸気冷却コイルおよびミストセパレータを容易に取り外して運転することになり、吸気冷却コイルおよびミストセパレータによる圧損をなくす（排除する）ことができ、圧縮機の圧縮効率およびガスタービンの出力を向上させることができる。
【発明の効果】
【００４７】
本発明に係る吸気冷却装置によれば、吸気冷却コイルを通過した吸気とともに凝縮水が下流側に飛散するのを防止することができるという効果を奏する。
【図面の簡単な説明】
【００４８】
【図１】本発明の第１実施形態に係る吸気冷却装置を具備したガスタービンプラントの構成を示すブロック図である。
【図２】本発明の第３実施形態に係る吸気冷却コイルを吸気入口の側から見て示した図である。
【図３】本発明の第５実施形態に係る吸気冷却コイルを吸気入口の側から見て示した図である。
【発明を実施するための形態】
【００４９】
以下、本発明の第１実施形態に係る吸気冷却装置およびその運転方法について、図１を参照しながら説明する。図１は本実施形態に係る吸気冷却装置を具備したガスタービンプラントの構成を示すブロック図である。
図１に示すように、ガスタービンプラント（発電プラント）１は、吸気入口２から取り込まれた吸気（外気：空気）を圧縮機３に導く吸気ダクト４と、吸気ダクト４を介して供給された吸気を圧縮する圧縮機３と、圧縮機３から供給された吸気を用いて燃料を燃焼させる燃焼器５と、燃焼器５から供給された燃焼ガスにより回転するガスタービン６と、ガスタービン６の回転により発電を行う発電機７とを備えている。
【００５０】
また、吸気ダクト４の途中（本実施形態では、上流側（入口側）の端部）には、吸気フィルタ室８が設けられており、この吸気フィルタ室８内には、吸気冷却装置１０を構成する図示しないプレフィルタ（第１段フィルタ）、吸気冷却コイル１１、ミストセパレータ１２、メインフィルタ（第２段フィルタ）１３が、上流側からプレフィルタ、吸気冷却コイル１１、ミストセパレータ１２、メインフィルタ（フィルタ）１３の順に配置されている。
プレフィルタは、吸気入口２から取り込まれた吸気から（比較的大きい）粉塵を除去するものであり、吸気冷却コイル１１は、プレフィルタを通過した吸気を冷却するものである。
【００５１】
吸気冷却コイル１１には、（第１の）循環路２１、（第１の）循環ポンプ２２を介して冷凍機（ターボ冷凍機や吸収式冷凍機等）２３から冷たい循環水（冷却媒体）が供給されるようになっており、吸気冷却コイル１１で吸気と熱交換された（吸気との熱交換で温められた）循環水は、循環路２１を介して冷凍機２３に戻されるようになっている。
冷凍機２３には、（第２の）循環路２４、（第２の）循環ポンプ２５を介して冷却塔２６から冷たい循環水が供給されるようになっており、冷凍機２３で循環路２１を循環する循環水と熱交換された（循環路２１を循環する循環水との熱交換で温められた）循環水は、循環路２４を介して冷却塔２６に戻され、冷却塔２６で再び冷却されるようになっている。
【００５２】
ミストセパレータ１２は、吸気冷却コイル１１を通過した吸気から霧状（または液状）になった凝縮水を除去するものであり、吸気冷却コイル１１の下流側近傍に配置されている。
メインフィルタ１３は、ミストセパレータ１２を通過した（湿度（略）１００％の）吸気からプレフィルタで除去できなかった（比較的小さい）粉塵を除去するものであり、吸気冷却コイル１１と（略）同じ流路面積を有している。また、メインフィルタ１３の近傍には、メインフィルタ１３の上流側近傍の圧力（静圧または動圧）と、メインフィルタ１３の下流側近傍の圧力（静圧または動圧）との差（すなわち、メインフィルタ１３前後の差圧）を測定（計測）する差圧計２７が設けられており、差圧計２７で計測されたデータ（計測結果：計測値）は、図示しない制御器に出力され、制御器において、制御器に予め保存（記憶）された閾値（データベース）と比較されるようになっている。そして、差圧計２７で計測されたデータが閾値（第１の所定値）よりも高くなると、制御器から循環ポンプ２２に、または循環ポンプ２２，２５、冷凍機２３に制御信号（停止指令）が出力されて、循環ポンプ２２が、または循環ポンプ２２，２５、冷凍機２３が停止されるようになっている。
【００５３】
循環ポンプ２２が、または循環ポンプ２２，２５、冷凍機２３が停止されることにより、吸気入口２から取り込まれた吸気、すなわち、吸気冷却コイル１１において冷却されずにそのままの温度で流れ込んできた（温かい）吸気が、メインフィルタ１３に付着した凝縮水を蒸発させる。そして、メインフィルタ１３に付着した凝縮水が蒸発して、差圧計２７で計測されたデータが、閾値（第１の所定値よりも低い第２の所定値）よりも低くなると、制御器から循環ポンプ２２に、または循環ポンプ２２，２５、冷凍機２３に制御信号（起動指令）が出力されて、循環ポンプ２２が、または循環ポンプ２２，２５、冷凍機２３が再起動されるようになっている。
【００５４】
なお、図１中の符号２８は、吸気フィルタ室８よりも下流側に位置する吸気ダクト４の途中（本実施形態では、吸気ダクト４の長手方向における中央部）に配置されて、音を含む振動を抑制するサイレンサである。
また、圧縮機３の１段静翼は、開度を変更することができるＩＧＶ（Inlet Guide Vane）とされている。
【００５５】
本実施形態に係る吸気冷却装置１０およびその運転方法によれば、ミストセパレータ１２により、吸気冷却コイル１１を通過した吸気から霧状または液状になった凝縮水が除去されることになる。また、吸気から霧状または液状になった凝縮水をミストセパレータ１２で完全に除去することができなかった場合でも、メインフィルタ１３に付着した粉塵に、ミストセパレータ１２を通過した凝縮水が付着して、ミストセパレータ１２を通過した吸気から霧状または液状になった凝縮水が除去されることになる。
これにより、吸気冷却コイル１１を通過した吸気とともに凝縮水が下流側に飛散するのを防止することができ、凝縮水に含まれる不純物によりガスタービン６や圧縮機３等に腐食や金属堆積が発生するのを防止することができる。
【００５６】
また、本実施形態に係る吸気冷却装置１０およびその運転方法によれば、差圧計２７で計測された計測値は、制御器に出力され、制御器において、制御器に予め保存（記憶）された閾値と比較されるようになっている。そして、差圧計２７で計測された計測値が閾値よりも高くなり、メインフィルタ１３に規定量を超える凝縮水が付着しているおそれがあると判断した場合には、吸気冷却コイル１１への冷水の供給が停止されるようになっている。吸気冷却コイルへの冷水の供給が停止されることにより、吸気入口２から取り込まれた吸気、すなわち、吸気冷却コイル１１において冷却されずにそのままの温度で流れ込んできた（温かい）吸気が、メインフィルタ１３に付着した凝縮水を蒸発させることになる。
これにより、メインフィルタ１３における差圧（圧損）の上昇を抑制することができ、かつ、メインフィルタ１３における差圧（圧損）を素早く回復させることができる。
また、メインフィルタ１３から下流側への凝縮水の飛散を防止することができ、凝縮水に含まれる不純物によりガスタービン６や圧縮機３等に腐食や金属堆積が発生するのを防止することができる。
【００５７】
さらに、本実施形態に係る吸気冷却装置１０およびその運転方法によれば、差圧計２７で計測された計測値は、制御器に出力され、制御器において、制御器に予め保存（記憶）された閾値と比較されるようになっている。そして、差圧計２７で計測された計測値が閾値よりも低くなり、メインフィルタ１３に凝縮水が付着しているおそれがないと判断した場合には、吸気冷却コイル１１への冷水の供給が開始（再開）されるようになっている。
これにより、吸気冷却を再開することができる。
【００５８】
本発明の第２実施形態に係る吸気冷却装置およびその運転方法について、図１を参照しながら説明する。
本実施形態に係る吸気冷却装置は、差圧計２７で計測されたデータに基づいて、循環ポンプ２２を、または循環ポンプ２２，２５、冷凍機２３を停止・起動する代わりに、冷凍機２３の負荷を調整するという点で上述した第１実施形態のものと異なる。
すなわち、本実施形態では、差圧計２７で計測されたデータが閾値（第１の所定値）よりも高くなると、制御器から冷凍機２３に制御信号（制御指令）が出力されて、冷凍機２３が所定の負荷（例えば、最高負荷の１０％）まで低下させられ、低負荷運転させられるようになっている。
【００５９】
冷凍機２３が低負荷運転させられることにより、吸気入口２から取り込まれた吸気、すなわち、吸気冷却コイル１１において冷却されずにそのままの温度で流れ込んできた（温かい）吸気が、メインフィルタ１３に付着した凝縮水を蒸発させる。そして、メインフィルタ１３に付着した凝縮水が蒸発して、差圧計２７で計測されたデータが、閾値（第１の所定値よりも低い第２の所定値）よりも低くなると、制御器から冷凍機２３に制御信号（制御指令）が出力されて、冷凍機２３が通常運転させられるようになっている。
【００６０】
本実施形態に係る吸気冷却装置およびその運転方法によれば、ミストセパレータ１２により、吸気冷却コイル１１を通過した吸気から霧状または液状になった凝縮水が除去されることになる。また、吸気から霧状または液状になった凝縮水をミストセパレータ１２で完全に除去することができなかった場合でも、メインフィルタ１３に付着した粉塵に、ミストセパレータ１２を通過した凝縮水が付着して、ミストセパレータ１２を通過した吸気から霧状または液状になった凝縮水が除去されることになる。
これにより、吸気冷却コイル１１を通過した吸気とともに凝縮水が下流側に飛散するのを防止することができ、凝縮水に含まれる不純物によりガスタービン６や圧縮機３等に腐食や金属堆積が発生するのを防止することができる。
【００６１】
また、本実施形態に係る吸気冷却装置およびその運転方法によれば、差圧計２７で計測された計測値は、制御器に出力され、制御器において、制御器に予め保存（記憶）された閾値と比較されるようになっている。そして、差圧計２７で計測された計測値が閾値よりも高くなり、メインフィルタ１３に規定量を超える凝縮水が付着しているおそれがあると判断した場合には、吸気冷却コイル１１への冷水の流量を減少させる（冷凍機２３を低負荷運転させる）ようになっている。吸気冷却コイル１１への冷水の流量が減少させられることにより、吸気入口２から取り込まれた吸気、すなわち、吸気冷却コイル１１において冷却されずにそのままの温度で流れ込んできた（温かい）吸気に近い温度の吸気が、メインフィルタ１１に付着した凝縮水を蒸発させることになる。
これにより、メインフィルタ１３における差圧（圧損）の上昇を抑制することができ、かつ、メインフィルタ１３における差圧（圧損）を回復させることができる。
また、メインフィルタ１３から下流側への凝縮水の飛散を防止することができ、凝縮水に含まれる不純物によりガスタービン６や圧縮機３等に腐食や金属堆積が発生するのを防止することができる。
【００６２】
さらに、本実施形態に係る吸気冷却装置およびその運転方法によれば、差圧計２７で計測された計測値は、制御器に出力され、制御器において、制御器に予め保存（記憶）された閾値と比較されるようになっている。そして、差圧計２７で計測された計測値が閾値よりも低くなり、メインフィルタ１３に凝縮水が付着しているおそれがないと判断した場合には、吸気冷却コイル１１への冷水の流量が増加されるようになっている。
これにより、吸気冷却を再開することができる。
【００６３】
本発明の第３実施形態に係る吸気冷却装置およびその運転方法について、図２を参照しながら説明する。
図２は本実施形態に係る吸気冷却コイルを吸気入口の側から見て示した図である。
本実施形態に係る吸気冷却装置３０は、吸気冷却コイル１１の代わりに、吸気冷却コイル１１と（略）同じ流路面積を有する吸気冷却コイル３１が設けられているという点で上述した第１実施形態のものと異なる。その他の構成要素については上述した第１実施形態のものと同じであるので、ここではそれら構成要素についての説明は省略する。
なお、上述した第１実施形態と同一の部材には同一の符号を付している。
【００６４】
図２に示すように、吸気冷却コイル３１は、幅方向（横方向）に二分割されて、吸気フィルタ室８の左半分に配置される第１の吸気冷却コイル３１ａと、吸気フィルタ室８の右半分に配置される第２の吸気冷却コイル３１ｂとを備えている。また、循環ポンプ２２と吸気冷却コイル３１とを連通する循環路２１の途中には、三方弁３２が設けられており、三方弁３２と第１の吸気冷却コイル３１ａとは、（第３の）循環路２１ａで連通され、三方弁３２と第２の吸気冷却コイル３１ｂとは、（第４の）循環路２１ｂで連通されている。そして、循環路２１ａを介して第１の吸気冷却コイル３１ａに流入し、第１の吸気冷却コイル３１ａを通過した循環水は、（第５の）循環路２１ｃを介して循環路２１に流入し、循環路２１ｂを介して第２の吸気冷却コイル３１ｂに流入し、第２の吸気冷却コイル３１ｂを通過した循環水は、（第６の）循環路２１ｄを介して循環路２１に流入して、冷凍機２３に戻されるようになっている。
【００６５】
また、本実施形態では、メインフィルタ１３（図１参照）を幅方向（横方向）に二分割した場合に、吸気フィルタ室８の左半分に位置するメインフィルタ１３の上流側近傍の圧力（静圧または動圧）と、吸気フィルタ室８の左半分に位置するメインフィルタ１３の下流側近傍の圧力（静圧または動圧）との差（すなわち、吸気フィルタ室８の左半分に位置するメインフィルタ１３前後の差圧）を測定（計測）する図示しない（第１の）差圧計が設けられており、吸気フィルタ室８の右半分に位置するメインフィルタ１３の上流側近傍の圧力（静圧または動圧）と、吸気フィルタ室８の右半分に位置するメインフィルタ１３の下流側近傍の圧力（静圧または動圧）との差（すなわち、吸気フィルタ室８の右半分に位置するメインフィルタ１３前後の差圧）を測定（計測）する図示しない（第２の）差圧計が、差圧計２７（図１参照）の代わりに設けられている。これら差圧計で計測されたデータ（計測結果：計測値）は、制御器３３に出力され、制御器３３において、制御器３３に予め保存（記憶）された閾値（データベース）と比較されるようになっている。そして、差圧計で計測されたデータが閾値（第３の所定値または第１の所定値）よりも高くなると、制御器３３から三方弁３２に制御信号（操作指令）が出力されて三方弁３２の流路が調整され（切り換えられ）、閾値よりも高くなった差圧計の側に位置する吸気冷却コイル３１ａまたは吸気冷却コイル３１ｂへの流路が遮断されるようになっている。
なお、制御器３３は、差圧が大きい方の流量を遮断するように制御する。
【００６６】
閾値よりも高くなった差圧計の側に位置する吸気冷却コイル３１ａまたは吸気冷却コイル３１ｂへの流路が遮断されることにより、吸気入口２から取り込まれた吸気、すなわち、閾値よりも高くなった差圧計の側に位置する吸気冷却コイル３１ａまたは吸気冷却コイル３１ｂにおいて冷却されずにそのままの温度で流れ込んできた（温かい）吸気が、閾値よりも高くなった差圧計の側に位置するメインフィルタ１３に付着した凝縮水を蒸発させる。そして、メインフィルタ１３に付着した凝縮水が蒸発して、差圧計で計測されたデータが、閾値（第３の所定値よりも低い第４の所定値または第１の所定値よりも低い第２の所定値）よりも低くなると、制御器３３から三方弁３２に制御信号（操作指令）が出力され、吸気冷却コイル３１ａまたは吸気冷却コイル３１ｂへの流路の遮断が解除され、冷水の供給が停止されていた側の吸気冷却コイル３１ａまたは吸気冷却コイル３１ｂに、再び冷水が供給されるようになっている。
【００６７】
本実施形態に係る吸気冷却装置３０およびその運転方法によれば、ミストセパレータ１２により、吸気冷却コイル１１を通過した吸気から霧状または液状になった凝縮水が除去されることになる。また、吸気から霧状または液状になった凝縮水をミストセパレータ１２で完全に除去することができなかった場合でも、メインフィルタ１３に付着した粉塵に、ミストセパレータ１２を通過した凝縮水が付着して、ミストセパレータ１２を通過した吸気から霧状または液状になった凝縮水が除去されることになる。
これにより、吸気冷却コイル１１を通過した吸気とともに凝縮水が下流側に飛散するのを防止することができ、凝縮水に含まれる不純物によりガスタービン６や圧縮機３等に腐食や金属堆積が発生するのを防止することができる。
【００６８】
また、本実施形態に係る吸気冷却装置３０およびその運転方法によれば、差圧計で計測された計測値は、制御器３３に出力され、制御器３３において、制御器３３に予め保存（記憶）された閾値と比較されるようになっている。そして、差圧計で計測された計測値が閾値よりも高くなり、メインフィルタ１３に規定量を超える凝縮水が付着しているおそれがあると判断した場合には、対応する吸気冷却コイル３１ａまたは吸気冷却コイル３１ｂへの冷水の供給が停止されるようになっている。対応する吸気冷却コイル３１ａまたは吸気冷却コイル３１ｂへの冷水の供給が停止されることにより、吸気入口２から取り込まれた吸気、すなわち、吸気冷却コイル３１ａまたは吸気冷却コイル３１ｂにおいて冷却されずにそのままの温度で流れ込んできた（温かい）吸気が、メインフィルタ１３に付着した凝縮水を蒸発させることになる。
これにより、メインフィルタ１３における差圧（圧損）の上昇を抑制することができ、かつ、メインフィルタ１３における差圧（圧損）を素早く回復させることができる。
また、メインフィルタ１３から下流側への凝縮水の飛散を防止することができ、凝縮水に含まれる不純物によりガスタービン６や圧縮機３等に腐食や金属堆積が発生するのを防止することができる。
【００６９】
さらに、本実施形態に係る吸気冷却装置３０およびその運転方法によれば、差圧計で計測された計測値は、制御器３３に出力され、制御器３３において、制御器３３に予め保存（記憶）された閾値と比較されるようになっている。そして、差圧計で計測された計測値が閾値よりも低くなり、メインフィルタ１３に凝縮水が付着しているおそれがないと判断した場合には、対応する吸気冷却コイル３１ａまたは吸気冷却コイル３１ｂへの冷水の供給が開始（再開）されるようになっている。
これにより、吸気冷却を再開することができる。
【００７０】
本発明の第４実施形態に係る吸気冷却装置およびその運転方法について、図２を参照しながら説明する。
本実施形態に係る吸気冷却装置は、差圧計で計測されたデータに基づいて三方弁３２を操作し、閾値よりも高くなった差圧計の側に位置する吸気冷却コイル３１ａまたは吸気冷却コイル３１ｂへの流路を遮断する代わりに、閾値よりも高くなった差圧計の側に位置する吸気冷却コイル３１ａまたは吸気冷却コイル３１ｂへの流量を調整するという点で上述した第３実施形態のものと異なる。
すなわち、本実施形態では、差圧計で計測されたデータが閾値（第３の所定値または第１の所定値）よりも高くなると、制御器３３から三方弁３２に制御信号（操作指令）が出力されて三方弁３２の流路が調整され（切り換えられ）、閾値よりも高くなった差圧計の側に位置する吸気冷却コイル３１ａまたは吸気冷却コイル３１ｂへの流量が所定の流量（例えば、最大流量の０％）まで低下させられるようになっている。
【００７１】
閾値よりも高くなった差圧計の側に位置する吸気冷却コイル３１ａまたは吸気冷却コイル３１ｂへの流量が所定の流量まで低下させられることにより、吸気入口２から取り込まれた吸気、すなわち、閾値よりも高くなった差圧計の側に位置する吸気冷却コイル３１ａまたは吸気冷却コイル３１ｂにおいて冷却されずにそのままの温度で流れ込んできた（温かい）吸気が、メインフィルタ１３に付着した凝縮水を蒸発させる。そして、メインフィルタ１３に付着した凝縮水が蒸発して、差圧計で計測されたデータが、閾値（第３の所定値よりも低い第４の所定値または第１の所定値よりも低い第２の所定値）よりも低くなると、制御器３３から三方弁３２に制御信号（操作指令）が出力され、吸気冷却コイル３１ａまたは吸気冷却コイル３１ｂへの流量制限が解除され、冷水の流量が制限されていた側の吸気冷却コイル３１ａまたは吸気冷却コイル３１ｂに、再び規定流量の冷水が供給されるようになっている。
【００７２】
本実施形態に係る吸気冷却装置およびその運転方法によれば、ミストセパレータ１２により、吸気冷却コイル１１を通過した吸気から霧状または液状になった凝縮水が除去されることになる。また、吸気から霧状または液状になった凝縮水をミストセパレータ１２で完全に除去することができなかった場合でも、メインフィルタ１３に付着した粉塵に、ミストセパレータ１２を通過した凝縮水が付着して、ミストセパレータ１２を通過した吸気から霧状または液状になった凝縮水が除去されることになる。
これにより、吸気冷却コイル１１を通過した吸気とともに凝縮水が下流側に飛散するのを防止することができ、凝縮水に含まれる不純物によりガスタービン６や圧縮機３等に腐食や金属堆積が発生するのを防止することができる。
【００７３】
また、本実施形態に係る吸気冷却装置およびその運転方法によれば、差圧計で計測された計測値は、制御器３３に出力され、制御器３３において、制御器３３に予め保存（記憶）された閾値と比較されるようになっている。そして、差圧計で計測された計測値が閾値よりも高くなり、メインフィルタ１３に規定量を超える凝縮水が付着しているおそれがあると判断した場合には、対応する吸気冷却コイル３１ａまたは吸気冷却コイル３１ｂへの冷水の流量を減少させるようになっている。対応する吸気冷却コイル３１ａまたは吸気冷却コイル３１ｂへの冷水の流量が減少させられることにより、吸気入口２から取り込まれた吸気、すなわち、吸気冷却コイル３１ａまたは吸気冷却コイル３１ｂにおいて冷却されずにそのままの温度で流れ込んできた（温かい）吸気に近い温度の吸気が、メインフィルタ１３に付着した凝縮水を蒸発させることになる。
これにより、メインフィルタ１３における差圧（圧損）の上昇を抑制することができ、かつ、メインフィルタ１３における差圧（圧損）を回復させることができる。
また、メインフィルタ１３から下流側への凝縮水の飛散を防止することができ、凝縮水に含まれる不純物によりガスタービン６や圧縮機３等に腐食や金属堆積が発生するのを防止することができる。
【００７４】
さらに、本実施形態に係る吸気冷却装置およびその運転方法によれば、差圧計で計測された計測値は、制御器３３に出力され、制御器３３において、制御器３３に予め保存（記憶）された閾値と比較されるようになっている。そして、差圧計で計測された計測値が閾値よりも低くなり、メインフィルタ１３に凝縮水が付着しているおそれがないと判断した場合には、対応する吸気冷却コイル３１ａまたは吸気冷却コイル３１ｂへの冷水の流量が増加されるようになっている。
これにより、吸気冷却を再開することができる。
【００７５】
本発明の第５実施形態に係る吸気冷却装置およびその運転方法について、図３を参照しながら説明する。
図３は本実施形態に係る吸気冷却コイルを吸気入口の側から見て示した図である。
本実施形態に係る吸気冷却装置５０は、吸気冷却コイル１１の代わりに、吸気冷却コイル１１と（略）同じ流路面積を有する吸気冷却コイル５１が設けられているという点で上述した第１実施形態のものと異なる。その他の構成要素については上述した第１実施形態のものと同じであるので、ここではそれら構成要素についての説明は省略する。
なお、上述した第１実施形態と同一の部材には同一の符号を付している。
【００７６】
図３に示すように、吸気冷却コイル５１は、幅方向（横方向）に二分割されて、吸気フィルタ室８の左半分に配置される第１の吸気冷却コイル５１ａと、吸気フィルタ室８の右半分に配置される第２の吸気冷却コイル５１ｂとを備えている。また、吸気冷却コイル５１と冷凍機２３とを連通する循環路２１の途中には、三方弁５２が設けられており、三方弁５２と第１の吸気冷却コイル５１ａとは、（第７の）循環路２１ｅで連通され、三方弁５２と第２の吸気冷却コイル５１ｂとは、（第８の）循環路２１ｆで連通されている。そして、循環路２１ｅを介して第１の吸気冷却コイル５１ａに流入し、第１の吸気冷却コイル５１ａを通過した循環水は、（第９の）循環路２１ｇを介して循環路２１に流入し、循環路２１ｆを介して第２の吸気冷却コイル５１ｂに流入し、第２の吸気冷却コイル５１ｂを通過した循環水は、（第１０の）循環路２１ｈを介して循環路２１に流入して、冷凍機２３に戻されるようになっている。
【００７７】
また、本実施形態では、メインフィルタ１３（図１参照）を幅方向（横方向）に二分割した場合に、吸気フィルタ室８の左半分に位置するメインフィルタ１３の上流側近傍の圧力（静圧または動圧）と、吸気フィルタ室８の左半分に位置するメインフィルタ１３の下流側近傍の圧力（静圧または動圧）との差（すなわち、吸気フィルタ室８の左半分に位置するメインフィルタ１３前後の差圧）を測定（計測）する図示しない（第１の）差圧計が設けられており、吸気フィルタ室８の右半分に位置するメインフィルタ１３の上流側近傍の圧力（静圧または動圧）と、吸気フィルタ室８の右半分に位置するメインフィルタ１３の下流側近傍の圧力（静圧または動圧）との差（すなわち、吸気フィルタ室８の右半分に位置するメインフィルタ１３前後の差圧）を測定（計測）する図示しない（第２の）差圧計が、差圧計２７（図１参照）の代わりに設けられている。これら差圧計で計測されたデータ（計測結果：計測値）は、制御器５３に出力され、制御器５３において、制御器５３に予め保存（記憶）された閾値（データベース）と比較されるようになっている。そして、差圧計で計測されたデータが閾値（第３の所定値または第１の所定値）よりも高くなると、制御器５３から三方弁５２に制御信号（操作指令）が出力されて三方弁５２の流路が調整され（切り換えられ）、閾値よりも高くなった差圧計の側に位置する吸気冷却コイル５１ａまたは吸気冷却コイル５１ｂへの流路が遮断されるようになっている。
【００７８】
閾値よりも高くなった差圧計の側に位置する吸気冷却コイル５１ａまたは吸気冷却コイル５１ｂへの流路が遮断されることにより、吸気入口２から取り込まれた吸気、すなわち、閾値よりも高くなった差圧計の側に位置する吸気冷却コイル５１ａまたは吸気冷却コイル５１ｂにおいて冷却されずにそのままの温度で流れ込んできた（温かい）吸気が、閾値よりも高くなった差圧計の側に位置するメインフィルタ１３に付着した凝縮水を蒸発させる。そして、メインフィルタ１３に付着した凝縮水が蒸発して、差圧計で計測されたデータが、閾値（第３の所定値よりも低い第４の所定値または第１の所定値よりも低い第２の所定値）よりも低くなると、制御器５３から三方弁５２に制御信号（操作指令）が出力され、吸気冷却コイル５１ａまたは吸気冷却コイル５１ｂへの流路の遮断が解除され、冷水の供給が停止されていた側の吸気冷却コイル５１ａまたは吸気冷却コイル５１ｂに、再び冷水が供給されるようになっている。
【００７９】
本実施形態に係る吸気冷却装置５０およびその運転方法の作用効果は、上述した第３実施形態と同様であるので、ここではその説明を省略する。
【００８０】
本発明の第６実施形態に係る吸気冷却装置およびその運転方法について、図３を参照しながら説明する。
本実施形態に係る吸気冷却装置は、差圧計で計測されたデータに基づいて三方弁５２を操作し、閾値よりも高くなった差圧計の側に位置する吸気冷却コイル５１ａまたは吸気冷却コイル５１ｂへの流路を遮断する代わりに、閾値よりも高くなった差圧計の側に位置する吸気冷却コイル５１ａまたは吸気冷却コイル５１ｂへの流量を調整するという点で上述した第５実施形態のものと異なる。
すなわち、本実施形態では、差圧計で計測されたデータが閾値（第３の所定値または第１の所定値）よりも高くなると、制御器５３から三方弁５２に制御信号（操作指令）が出力されて三方弁５２の流路が調整され（切り換えられ）、閾値よりも高くなった差圧計の側に位置する吸気冷却コイル５１ａまたは吸気冷却コイル５１ｂへの流量が所定の流量（例えば、最大流量の０％）まで低下させられるようになっている。
【００８１】
閾値よりも高くなった差圧計の側に位置する吸気冷却コイル５１ａまたは吸気冷却コイル５１ｂへの流量が所定の流量まで低下させられることにより、吸気入口２から取り込まれた吸気、すなわち、閾値よりも高くなった差圧計の側に位置する吸気冷却コイル５１ａまたは吸気冷却コイル５１ｂにおいて冷却されずにそのままの温度で流れ込んできた（温かい）吸気が、メインフィルタ１３に付着した凝縮水を蒸発させる。そして、メインフィルタ１３に付着した凝縮水が蒸発して、差圧計で計測されたデータが、閾値（第３の所定値よりも低い第４の所定値または第１の所定値よりも低い第２の所定値）よりも低くなると、制御器５３から三方弁５２に制御信号（操作指令）が出力され、吸気冷却コイル５１ａまたは吸気冷却コイル５１ｂへの流量制限が解除され、冷水の流量が制限されていた側の吸気冷却コイル５１ａまたは吸気冷却コイル５１ｂに、再び規定流量の冷水が供給されるようになっている。
【００８２】
本実施形態に係る吸気冷却装置およびその運転方法の作用効果は、上述した第４実施形態と同様であるので、ここではその説明を省略する。
【００８３】
なお、本発明は上述した実施形態に限定されるものではなく、本発明の要旨を逸脱しない範囲で各種変更・変形が可能である。
例えば、上述した第２実施形態から第６実施形態では、吸気冷却コイル３１，５１を幅方向（横方向）に二分割するようにしたものを一具体例として挙げて説明したが、本発明はこれに限定されるものではなく、吸気冷却コイル３１，５１を幅方向（横方向）に三つ以上に分割するようにしてもよいし、吸気冷却コイル３１，５１を高さ方向（縦方向）に二つ以上に分割するようにしてもよい。
【００８４】
また、上述した実施形態において、吸気冷却コイル１１，３１，５１およびミストセパレータ１２が、吸気ダクト４（または吸気フィルタ室８）に対して着脱可能に構成されているとさらに好適である。
これにより、吸気を冷却しなくてもよい時期（例えば、冬季）には、吸気冷却コイル１１，３１，５１およびミストセパレータ１２を容易に取り外すことができて、吸気冷却コイル１１，３１，５１およびミストセパレータ１２による圧損をなくす（排除する）ことができ、圧縮機３の圧縮効率およびガスタービン６の出力を向上させることができる。
【符号の説明】
【００８５】
１    ガスタービンプラント（発電プラント）
２    吸気入口
４    吸気ダクト
１０    吸気冷却装置
１１    吸気冷却コイル
１２    ミストセパレータ
１３    メインフィルタ（フィルタ）
２７    差圧計
３０    吸気冷却装置
３１    吸気冷却コイル
３３    制御器
５０    吸気冷却装置
５１    吸気冷却コイル
５３    制御器
【図１】
0005627270.tif 000002
【図２】
0005627270.tif 000003
【図３】
0005627270.tif 000004